(57)【特許請求の範囲】
【請求項１】
マット状で広げられた状態で長さ方向に沿って三つの部分に折られることができて、折られた三つの部分の一側端部および他側端部が各々互いに重なって結合してカバン状に変形するように構成した内皮部材と；
マット状で広げられた状態で長さ方向に沿って三つの部分に折られることができ、折られた三つの部分の一側端部および他側端部が各々互いに重なって結合してカバン状に変形するように構成して、前記内皮部材に着脱できるように設けられる外皮部材；および
前記外皮部材に着脱できるように設けられるひも部材と；を含み、
前記内皮部材は中央内皮と、左側内皮と、右側内皮とで区分され、三つの部分に折られており、前記中央内皮と前記左側内皮とを区分する切開溝および前記中央内皮と前記右側内皮とを区分する切開溝が前記内皮部材の一側端部および他側端部に各々形成されており、
前記内皮部材がマット状からカバン状に変形する場合において、前記中央内皮の一側端部および他側端部と前記左側内皮と前記右側内皮とが上方向に向かって折られ、
上方向に折られた前記中央内皮の一側端部に前記左側内皮の一側端部が重なって、前記中央内皮の一側端部に重なった前記左側内皮の一側端部に前記右側内皮の一側端部が重なって結合し、
上方向に折られた前記中央内皮の他側端部に前記左側内皮の他側端部が重なって、前記中央内皮の他側端部に重なった前記左側内皮の他側端部に前記右側内皮の他側端部が重なって結合し、
前記左側内皮の一側端部と他側端部の背面には、結合部材が各々設けられており、前記右側内皮の一側端部と他側端部の上面には、前記左側内皮の結合部材に結合する結合部材が各々設けられており、
前記外皮部材は中央外皮と、左側外皮と、右側外皮とで区分され、三つの部分に折られており、前記中央外皮と前記左側外皮とを区分する切開溝および前記中央外皮と前記右側外皮とを区分する切開溝が前記外皮部材の一側端部および他側端部に各々形成されており、
前記外皮部材がマット状からカバン状に変形する場合において、前記中央外皮の一側端部および他側端部と前記左側外皮と前記右側外皮とが上方向に向って折られ、
前記左側内皮の一側端部に重なった前記右側内皮の一側端部に、上方向に向って折られた前記中央外皮の一側端部が重なり、
前記左側内皮の他側端部に重なった前記右側内皮の他側端部に、上方向に向って折られた前記中央外皮の他側端部が重なり、
前記右側内皮の一側端部に重なった前記中央外皮の一側端部に前記右側外皮の一側端部が重なって、前記中央外皮の一側端部に重なった前記右側外皮の一側端部に前記左側外皮の一側端部が重なって結合し、
前記右側内皮の他側端部に重なった前記中央外皮の他側端部に前記右側外皮の他側端部が重なって、前記中央外皮の他側端部に重なった前記右側外皮の他側端部に前記左側外皮の他側端部が重なって結合し、
前記中央外皮の一側端部と他側端部の背面には、結合部材が各々設けられており、前記右側外皮の一側端部と他側端部の上面には、前記中央外皮の結合部材のうち、一部と結合する結合部材が設けられており、前記左側外皮の一側端部と他側端部の上面には、前記中央外皮の結合部材のうち、一部と結合する結合部材が設けられており、前記左側外皮の一側端部と他側端部の背面には前記右側外皮と結合する結合帯が設けられた
ことを特徴とするペット用カバン。
【発明の詳細な説明】
【技術分野】
【０００１】
本発明は、ペット用カバンに関する。より詳しくは、ペットのためのマットでも使えるペット用カバンに関する。
【背景技術】
【０００２】
最近の高齢化と低出産、独身世帯の増加などの色々な社会的変化と伴い、ペットを飼う世帯が次第に増えている。国内の主要媒体の報道資料によると、２０１３年、国内でペットを飼う人口が一千万を超えているといわれる。
【０００３】
こういったペットは、飼い主に精神的な癒しと心理的安定感を与えるなど、相互交感のパートナー的関係となっていて、ストレスに疲れた現代人に純機能の役目をはたしている。このような側面で、近来にはペット（ｐｅｔ）という用語を超え、伴侶動物（ｃｏｍｐａｎｉｏｎ  ａｎｉｍａｌ）という用語が自然に使われるようになったほどであり、ペットも一つの家族構成員とまで認識されるなど、次第にその重要性と位相が高くなっている。
【０００４】
ペットが家族の構成員となるようになって、ペットを健康に飼うための要求にこたえて、ペットを保護して便宜を提供するためのペット用ハウス、カバン、クッション、マットなど、色々な補助器具が登場している。
【０００５】
また、ペットと共に外出する場合が頻繁になるにつれて、ペット用補助器具もだんだん携帯しやすい形で開発されている。
【先行技術文献】
【特許文献】
【０００６】
【特許文献１】韓国公開実用新案第２０−２０１０-００８８７７号公報
【発明の概要】
【発明が解決しようとする課題】
【０００７】
しかし、従来はペットと共に外出する場合、ペット用カバンとペットのためにマットを別途に用意しなければならなかったため、外出のための荷物が多すぎるという問題があった。
【０００８】
本発明は、前記のような問題を解決するために提案されたものであり、ペット用カバンがペットのためのマットに変形できるように構成することによって、便利性を向上させ、ペットとともに外出する場合の荷物を最小化できるペット用カバンを提供することを目的とする。
【課題を解決するための手段】
【０００９】
前記目的を達成するために本発明の実施例によるペット用カバンは、マット状に広げられた状態で長さ方向に沿って三つの部分に折られることができて、三つの部分に折られた部分の一側端部および他側端部が各々互いに重なって結合し、カバン状に変形するように構成した内皮部材と、マット状に広げられた状態で長さ方向に沿って三つの部分に折られることができて、三つの部分に折られた部分の一側端部および他側端部が各々互いに重なって結合し、カバン状に変形するように構成し、前記内皮部材に着脱できるように設けられる外皮部材と、前記外皮部材に着脱できるように設けられるひも部材とを含むことを特徴とする。
【００１０】
前記内皮部材は、中央内皮と、左側内皮と、右側内皮とで区分されて三つの部分に折られ、前記中央内皮と前記左側内皮とを区分する切開溝および前記中央内皮と前記右側内皮とを区分する切開溝が前記内皮部材の一側端部および他側端部に各々形成されるのが好ましい。
【００１１】
前記内皮部材がマット状からカバン状に変形する場合において、前記中央内皮の一側端部および他側端部と前記左側内皮と前記右側内皮とが上方向を向いて折られて、上方向を向いて折られた前記中央内皮の一側端部に前記左側内皮の一側端部が重なって、前記中央内皮の一側端部に重なった前記左側内皮の一側端部に前記右側内皮の一側端部が重なって結合し、上方向に折られた前記中央内皮の他側端部に前記左側内皮の他側端部が重なって、前記中央内皮の他側端部に重なった前記左側内皮の他側端部に前記右側内皮の他側端部が重なって結合するのが好ましい。
【００１２】
前記左側内皮の一側端部と他側端部の背面には、結合部材が各々設けられ、前記右側内皮の一側端部と他側端部の上面には、前記左側内皮の結合部材に結合する結合部材が各々設けられるのが好ましい。
【００１３】
前記外皮部材は、中央外皮と、左側外皮と、右側外皮とで区分されて三つの部分に折られ、前記前記中央外皮と前記左側外皮とを区分する切開溝および前記中央外皮と前記右側外皮とを区分する切開溝が前記外皮部材の一側端部および他側端部に各々形成されるのが好ましい。
【００１４】
前記外皮部材がマット状からカバン状に変形する場合において、前記中央外皮の一側端部および他側端部と、前記左側外皮と、前記右側外皮が上方向を向いて折られ、上方向に折られた前記中央外皮の一側端部に前記右側外皮の一側端部が重なって、前記中央外皮の一側端部に重なった前記右側外皮の一側端部に前記左側外皮の一側端部が重なって結合し、上方向に折られた前記中央外皮の他側端部に前記右側外皮の他側端部が重なって、前記中央外皮の他側端部に重なった前記右側外皮の他側端部に前記左側外皮の他側端部が重なって結合するのが好ましい。
【００１５】
前記中央外皮の一側端部と他側端部の背面には、結合部材が各々設けられ、前記右側外皮の一側端部と他側端部の上面には、前記中央外皮の結合部材のうち、一部と結合する結合部材が設けられ、前記左側外皮の一側端部と他側端部の上面には、前記中央外皮の結合部材のうち、一部と結合する結合部材が設けられ、前記左側外皮の一側端部と他側端部の背面には前記右側外皮と結合する結合帯が設けられるのが好ましい。
【発明の効果】
【００１６】
前述のようなペット用カバンによると、ペット用カバンがペットのためのマットに変形できるように構成することによって、便利性が向上し、ペットと共に外出する場合の荷物を最小化できるようになる。
【図面の簡単な説明】
【００１７】
【図１】本発明の実施例によるペット用カバンが広げられてマット状に置かれた場合を示した図面である。
【図２】本発明の実施例によるペット用カバンをマット状からカバン状に変形する過程の第一段階を示した図面である。
【図３】本発明の実施例によるペット用カバンをマット状からカバン状に変形する過程の第二段階を示した図面である。
【図４】本発明の実施例によるペット用カバンをマット状からカバン状に変形する過程の第三段階を示した図面である。
【図５】本発明の実施例によるペット用カバンをマット状からカバン状に変形する過程の第四段階を示した図面である。
【図６】本発明の実施例によるペット用カバンをマット状からカバン状に変形する過程の第四段階を示した図面である。
【図７】本発明の実施例によるペット用カバンをマット状からカバン状に完全に変形した場合を示した図面である。
【図８】図７の状態でカバー部材がさらに結合した状態を示した図面である。
【発明を実施するための形態】
【００１８】
以下、添付の図面を参考して、本発明の好ましい実施例を詳しく説明する。
【００１９】
図１は、本発明の実施例によるペット用カバンが広げられてマット状に置かれた場合を示した図面であり、図２は、本発明の実施例によるペット用カバンをマット状からカバン状に変形する過程の第一段階を示した図面であり、図３は、本発明の実施例によるペット用カバンをマット状からカバン状に変形する過程の第二段階を示した図面であり、図４は、本発明の実施例によるペット用カバンをマット状からカバン状に変形する過程の第三段階を示した図面であり、図５は、本発明の実施例によるペット用カバンをマット状からカバン状に変形する過程の第四段階を示した図面であり、図６は、本発明の実施例によるペット用カバンをマット状からカバン状に変形する過程の第四段階を示した図面であり、図７は、本発明の実施例によるペット用カバンをマット状からカバン状に完全に変形した場合を示した図面であり、図８は、図７の状態でカバー部材がさらに結合した状態を示した図面である。
【００２０】
図１ないし図８を参考すると、本発明の実施例によるペット用カバンは、内皮部材（１００）と、外皮部材（２００）と、ひも部材（３００）とを含む。
【００２１】
前記内皮部材（１００）は、マット状に広げられた状態の時、ペットがその上に座っていられる部分であって、その上面は、柔らかい素材でできているのが好ましい。
【００２２】
このような前記内皮部材（１００）は、マット状に広げられた状態で長さ方向に沿って三つの部分に折られて、三つの部分に折られた部分の一側端部（図１に図示の図面で右側部分）および他側端部（図１に図示の図面で左側部分）が各々互いに重なって結合してカバン状に変形するように構成される。
【００２３】
一方、前記内皮部材（１００）は、中央内皮（１１０）と、左側内皮（１２０）と、右側内皮（１３０）とで区分され、三つの部分に折られて、前記中央内皮（１１０）と前記左側内皮（１２０）とを区分する切開溝（Ｆ１）および前記中央内皮（１１０）と前記右側内皮（１３０）とを区分する切開溝（Ｆ２）が前記内皮部材（１００）の一側端部および他側端部に各々形成される。
【００２４】
一方、前記左側内皮（１２０）の一側端部と他側端部の背面には、結合部材が各々設けられ、前記右側内皮（１３０）の一側端部と他側端部の上面には、前記左側内皮（１２０）の結合部材に結合する結合部材が各々設けられる。
【００２５】
ここで、前記左側内皮（１２０）および前記右側内皮（１３０）に設けられる結合部材は、ベルクロ型の結合部材（１４０）からなることができる。
【００２６】
前記外皮部材（２００）は、マット状に広げられた状態の時、前記内皮部材（１００）の下側に位置し、カバン状に変形した時、ペット用カバンの外形部を構成する部分であって、前記内皮部材（１００）とは違って色々な素材からなることができる。
【００２７】
このような前記外皮部材（２００）は、マット状に広げられた状態で長さ方向に沿って三つの部分に折られて、三つの部分に折られた部分の一側端部（図３に図示の図面で右側部分）および他側端部（図３に図示の図面で左側部分）が各々互いに重なって結合してカバン状に変形するように構成し、前記内皮部材（１００）に着脱できるように設けられる。
【００２８】
一方、前記外皮部材（２００）は、中央外皮（２１０）と、左側外皮（２２０）と、右側外皮（２３０）とで区分されて三つの部分に折られて、前記中央外皮（２１０）と前記左側外皮（２２０）とを区分する切開溝（Ｆ３）および前記中央外皮（２１０）と前記右側外皮（２３０）とを区分する切開溝（Ｆ４）が前記外皮部材（２００）の一側端部および他側端部に各々形成される。
【００２９】
一方、前記中央外皮（２１０）の一側端部と他側端部の背面には、結合部材が各々設けられ、また、前記ひも部材（３００）が着脱結合できるリング部材（２１１）が各々設けられる。また、前記右側外皮（２３０）の一側端部と他側端部の上面には、前記中央外皮（２１０）の結合部材のうち、一部と結合する結合部材が設けられ、前記左側外皮（２２０）の一側端部と他側端部の上面には、前記中央外皮（２１０）の結合部材のうち、一部と結合する結合部材が設けられ、前記左側外皮（２２０）の一側端部と他側端部の背面には前記右側外皮（２３０）と結合する結合帯（２２１）が設けられる。
【００３０】
ここで、中央外皮（２１０）の背面に設けられる結合部材は、ベルクロ型の結合部材（２４０）と一定の距離離隔され配置される一対のボタン型の結合部材（２５０）とからなることができる。
【００３１】
また、前記右側外皮（２３０）の上面に設けられる結合部材は、ベルクロ型の結合部材（２４０）とボタン型の結合部材（２５０）とからなることができる。
【００３２】
また、前記左側外皮（２２０）の上面に設けられる結合部材は、ボタン型の結合部材（２５０）からなることができ、前記左側外皮（２２０）に設けられる結合帯（２２１）にはボタン型の結合部材（２５０）が設けられることができ、図示されなかったが前記左側外皮（２３０）の背面には、前記結合帯（２２１）のボタン型の結合部材（２５０）と結合するボタン型の結合部材が設けられる。
【００３３】
一方、前記内側部材（１００）と前記外側部材（２００）の着脱可能の設置構造のために前記内側部材（１００）の中央内皮の一側端部および他側端部の背面には、ベルクロ型の結合部材（１４０）が設けられ、前記外側部材（２００）の中央外皮（２１０）の一側端部および他側端部の上面にもベルクロ型の結合部材（２４０）が設けられる。
【００３４】
一方、ペット用カバンがカバン状に変形した場合、ペットは、前記内側部材（１００）からなる空間（１００ａ）に入るようになり、運搬する時、ペットがカバンの外へ出ることを防ぐための図８に図示のように、前記外側部材（２００）にはメッシュ部材（４１０）が含まれたカバー部材（４００）がファスナーなどによって着脱できるように設けることができる。
【００３５】
一方、前記内皮部材（１００）および前記外皮部材（２００）の場合、全体的な形状が円形の形状からなる実施例を図面に図示したが、図示の形状に限られるものではなく、四角形の形状を含めて色々な多角形の形状からなることができる。
【００３６】
一方、前記のように構成された本発明の実施例によるペット用カバンは、図２ないし図７に段階的に示したように、マット状からカバン状に変形できて、その逆にカバン状からマット状に変形できる。
【００３７】
以下からは、本発明の実施例によるペット用カバンがマット状からカバン状に変形する場合に限定して説明し、マット状からカバン状に変形する場合、図１の状態から図７に図示の状態に最終変形する。
【００３８】
このようなカバン状への変形過程を説明すると次のとおりである。
【００３９】
前記内皮部材（１００）がマット状からカバン状に変形する場合、まず、前記中央内皮（１１０）の一側端部および他側端部と前記左側内皮（１２０）と前記右側内皮（１３０）とが上方向を向いて折られる。
【００４０】
その後、上方向に折られた前記中央内皮（１１０）の一側端部に前記左側内皮（１２０）の一側端部が重なって、前記中央内皮（１１０）の一側端部に重なった前記左側内皮（１２０）の一側端部に前記右側内皮（１３０）の一側端部が重なって結合する。
【００４１】
その後、上方向に折られた前記中央内皮（１１０）の他側端部に前記左側内皮（１２０）の他側端部が重なって、前記中央内皮（１１０）の他側端部に重なった前記左側内皮（１２０）の他側端部に前記右側内皮（１３０）の他側端部が重なって結合する。
【００４２】
前述のように、前記内皮部材（１００）は、カバン状に折られた後に前記外皮部材（２００）を次の順で折ることができる。
【００４３】
前記外皮部材（２００）がマット状からカバン状に変形する場合、まず、前記中央外皮（２１０）の一側端部および他側端部と前記左側外皮（２２０）と前記右側外皮（２３０）が上方向を向いて折られる。
【００４４】
その後、上方向に折られた前記中央外皮（２１０）の一側端部に前記右側外皮（２３０）の一側端部が重なって、前記中央外皮（２１０）の一側端部に重なった前記右側外皮（２３０）の一側端部に前記左側外皮（２２０）の一側端部が重なって結合する。
【００４５】
その後、上方向に折られた前記中央外皮（２１０）の他側端部に前記右側外皮（２３０）の他側端部が重なって、前記中央外皮（２１０）の他側端部に重なった前記右側外皮（２３０）の他側端部に前記左側外皮（２２０）の他側端部が重なって結合する。
【００４６】
前述のように本発明の実施例によるマットによると、ペット用カバンがペットのためのマットに変形できるように構成することによって、便利性が向上され、ペットとともに外出する場合の荷物を最小化できるようになる。
【００４７】
以上、本発明の特定実施例に関して図示し、説明したが、本発明の技術分野で通常の知識を有する者であれば、下記の特許請求の範囲に記載の本発明の事象および領域から外れない範囲で本発明を多様に修正および変更することができるのは了解していただきたい。
【符号の説明】
【００４８】
１００    内皮部材
１００ａ  空間
１１０    中央内皮
１２０    左側内皮
１３０    右側内皮
１４０    ベルクロ型の結合部材
２００    外皮部材
２１０    中央外皮
２１１    リング部材
２２０    左側外皮
２２１    結合帯
２３０    右側外皮
２４０    ベルクロ型の結合部材
２５０    ボタン型の結合部材
３００    ひも部材
４００    カバー部材
４１０    メッシュ部材
Ｆ１    切開溝
Ｆ２    切開溝
Ｆ３    切開溝
Ｆ４    切開溝
【図１】
0006306801.tif 000002
【図２】
0006306801.tif 000003
【図３】
0006306801.tif 000004
【図４】
0006306801.tif 000005
【図５】
0006306801.tif 000006
【図６】
0006306801.tif 000007
【図７】
0006306801.tif 000008
【図８】
0006306801.tif 000009